(57)【要約】【課題】自動交換される工具の加工部位にその工具に対応するクーラントノズルを自動交換により位置決めして確実なクーラントの供給を行う自動工具交換部を有する自動交換式クーラント装置を提供する。【解決手段】工具１５とそれに対応するクーラントノズル３が自動交換されクーラントノズルのノズル１４からクーラントが噴射供給される。【選択図】図１
2011148059.tif 000002
【特許請求の範囲】
【請求項１】
自動交換される工具の加工部位にクーラントを供給するためのクーラントノズルを有するクーラント供給部と前記工具及びクーラントノズルに着脱可能に係着して前記工具及びクーラントノズルを自動交換する自動交換部とを有する自動交換式クーラント装置であって、該装置は、クーラント供給源に連通するクーラント導入路を有するベースブロックと、該ベースブロックに固着又は形成され前記クーラント導入路に連通するクーラント通路及びガイド穴を形成するガイドブロックと、前記ガイド穴に着脱可能に挿着保持される挿入ロッドを有すると共に前記クーラント通路に連通するクーラント路と前記自動交換部が係着自在に係合する把持部とを形成する前記クーラントノズルとを有し、前記クーラントノズルの前記クーラント路の先端には前記工具の加工部位にクーラントを噴出するためのノズルが形成されることを特徴とする自動工具交換部を有する自動交換式クーラント装置。
【請求項２】
前記自動交換部は、装置の固定側に回動自在に制御されるアーム部を有するものからなり、該アーム部には前記クーラントノズルの把持部に係着する第１の係着部と前記工具の把持部に係着する第２の係着部を左右端に設けるものからなることを特徴とする請求項１に記載の自動工具交換部を有する自動交換式クーラント装置。
【発明の詳細な説明】
【技術分野】
【０００１】
本発明は、自動交換される工具の加工部位にクーラントを供給するクーラント装置に係り、特に、交換された工具に対応してクーラント供給源からのクーラントを工具の加工部位に確実に噴射供給するクーラントノズルを有する自動工具交換部を有する自動交換式クーラント装置に関する。
【背景技術】
【０００２】
工作機械等においては工具の加工部位にクーラントを供給する手段が常時使用され、それに関する装置は数多く存在する。マシニングセンタ等においては各種の工具が自動変換されるが、この工具に対応して工具の加工部位にクーラントを供給するにはクーラント装置側も自動変換又は移動可能に形成されることが必要である。そのためには移動式のクーラント装置が必要であり、公知技術としては、例えば、特許文献１が挙げられる。
【先行技術文献】
【特許文献】
【０００３】
【特許文献１】実用新案公開平５−４１６５５号（図１）
【発明の概要】
【発明が解決しようとする課題】
【０００４】
特許文献１の実用新案公開平５−４１６５５号の「可動式クーラントノズル」は、機械の固定側に設けた途中停止可能型シリンダの先端にクーラントノズルを配置し、工具位置に対応してクーラントノズルの位置を変化させるものである。このものは目的においては後に説明する本発明と似ている点もあるが、工具とクーラントノズルが夫々が１つの手段により自動変換されるものでなく、かつクーラントノズルへのタンク側からのクーラントの供給手段はフレキシブルワイヤを用いるものであり、クーラントの供給が確実に、かつ効率的に行われなくなる問題点もある。また、シリンダによるクーラントノズルの位置決め精度も本発明に比較して不安定のものとなる問題点もある。
【０００５】
本発明は、以上の事情に鑑みて発明されたものであり、クーラント供給源からのクーラントがクーラントノズルに確実に、かつ安定して供給されると共にクーラントノズルが工具に対応して選択されて夫々自動交換される構造のものからなる自動工具交換部を有する自動交換式クーラント装置を提供することを目的とする。
【課題を解決するための手段】
【０００６】
本発明は、以上の目的を達成するために、請求項１の発明は、自動交換される工具の加工部位にクーラントを供給するためのクーラントノズルを有するクーラント供給部と前記工具及びクーラントノズルに着脱可能に係着して前記工具及びクーラントノズルを自動交換する自動交換部とを有する自動交換式クーラント装置であって、該装置は、クーラント供給源に連通するクーラント導入路を有するベースブロックと、該ベースブロックに固着又は形成され前記クーラント導入路に連通するクーラント通路及びガイド穴を形成するガイドブロックと、前記ガイド穴に着脱可能に挿着保持される挿入ロッドを有すると共に前記クーラント通路に連通するクーラント路と前記自動交換部が係着自在に係合する把持部とを形成する前記クーラントノズルとを有し、前記クーラントノズルの前記クーラント路の先端には前記工具の加工部位にクーラントを噴出するためのノズルが形成されることを特徴とする。
【０００７】
また、請求項２の発明は、前記自動交換部は、装置の固定側に回動自在に制御されるアーム部を有するものからなり、該アーム部には前記クーラントノズルの把持部に係着する第１の係着部と前記工具の把持部に係着する第２の係着部を左右端に設けるものからなることを特徴とする。
【発明の効果】
【０００８】
本発明の請求項１の自動工具交換部を有する自動交換式クーラント装置によれば、クーラント供給源からのクーラントは装置の構成要素内に形成されているクーラントの通路等を介して確実に送られ固定的な位置にあるクーラントノズルのノズルから工具の加工部位に噴射供給される。また、クーラント装置のクーラントノズルは工具に対応して自動交換され、自動交換部もクーラントノズルと工具に対応する単一のものからなり、装置構造がコンパクトにまとめられている効果も有する。
【０００９】
また、本発明の請求項２の自動工具交換部を有する自動交換式クーラント装置によれば、自動交換部にはクーラントノズルと工具の双方を同時把持できる把持部を有するアームが回動自在に設けられ、工具に対応したクーラントノズルを確実に装置の所定位置に位置決め保持することができる。
【図面の簡単な説明】
【００１０】
【図１】本発明の自動工具交換部を有する自動交換式クーラント装置におけるクーラント供給部の全体構造を示す軸断面図。
【図２】図１における主要部を示す拡大部分断面図。
【図３】自動交換部の主要部を示す上面図。
【図４】図３の正面図。
【発明を実施するための形態】
【００１１】
以下、本発明の自動工具交換部を有する自動交換式クーラント装置の実施の形態を図面を参照して詳述する。
【実施例】
【００１２】
本発明の自動工具交換部を有する自動交換式クーラント装置１００は、大別して図１に示すクーラント供給部２００と、図３及び図４に示す自動交換部３００とから構成されている。
【００１３】
まず、図１及び図２によりクーラント供給部２００の構造を説明する。
クーラント供給部２００は、大別してベースブロック１と、ガイドブロック２と、クーラントノズル３等とからなる。なお、本実施例ではガイドブロック２はベースブロック１とは別体のものからなり、ベースブロック１の図の前面側に固定されているものからなるが、この両者は一体的構造のものであってもよい。
【００１４】
ベースブロック１はブロック体からなり、その内部にはクーラント導入路４が形成されている。実施例ではクーラント導入路４は４箇所形成されているが、勿論これに限定するものではない。また、クーラント導入路４は図略のクーラント源に連通している。また、クーラント導入路４は、その前面側において縦方向に形成されているクーラント導入路４ａに集約される。
【００１５】
ガイドブロック２はベースブロック１の前面に固定されている平板状のブロック体からなり、前記クーラント導入路４ａに連通するクーラント通路５を形成し、このクーラント通路５にはその内径よりも大径のガイド穴６が連通して形成されている。なお、このガイド穴６の前面は開口されている。
また、ガイド穴６の周縁にはロック手段７が設けられている。このロック手段７は後に説明する挿入ロッド８をロックして挿入ロッド８の脱落を防止するものであるが、その詳細構造の説明は省略する。但し、ロック手段７の構造は特別なものでなく、各種の公知技術が適用される。
【００１６】
クーラントノズル３はブロック体９と、ブロック体９の後面側に突出形成されている挿入ロッド８と、パイプ体１０（図３）と、ブロック体９の前面側に突出して形成されている把持部１１等とからなる。挿入ロッド８にはクーラント通路５に連通する貫通孔１２が形成され、この貫通孔１２はブロック体９内に形成されているクーラント路１３と連通する。また、このクーラント路１３はパイプ体１０に連通する。
また、図１及び図３に示すようにパイプ体１０の先端にはノズル１４が形成され、クーラントを噴出する。
また、このノズル１４の近傍には、工具１５が主軸１６に装着されて配置される。
【００１７】
工具１５とクーラントノズル３とは対応する構造のものからなり、クーラントノズル３のノズル１４は工具１５の加工部位近傍に配置されるように形成されている。
【００１８】
以上の構造のクーラント供給部２００におけるクーラントの供給及び噴射の状態を説明する。
クーラント源（図略）からのクーラントは、ベースブロック１のクーラント導入路４及び４ａを介して送られ、ガイドブロック２のクーラント通路５に入り、クーラントノズル３の挿入ロッド８の貫通孔１２を通り、クーラントノズル３のクーラント路１３に入り、パイプ体１０内に導入され、パイプ体１０の先端に形成されているノズル１４より噴出し、主軸１６に保持されている工具１５の加工部位に噴射される。
【００１９】
次に、自動交換部３００の構造を図３及び図４により説明する。
前記したようにクーラント供給部２００には、そのクーラントノズル３の先端側に把持部１１が突出して形成され、クーラントノズル３はこの把持部１１を介してクーラント供給部２００の固定側に着脱可能に配設される。一方、工具１５は固定側にある主軸１６に着脱可能に保持され、そのために工具１５には把持部１７が形成されている。
【００２０】
自動交換部３００は、装置の固定側に配置されている本体１８にその中心部を回動可能に支持されているアーム部１９を有するものからなり、このアーム部１９の両端にはクーラント供給部２００のクーラントノズル３の把持部１１に着脱可能に係着する第１の係着部２０及び工具１５の把持部１７に係着する第２の係着部２１が夫々形成されている。
【００２１】
このアーム部１９をクーラントノズル３及び工具１５に係着させることによりクーラントノズル３及び工具１５の自動交換を行うことができる。よって、工具１５に対応するクーラントノズル３を選択して所定位置に配置することが確実に、かつ短時間に行われる。
【００２２】
本発明は、以上の説明の内容からなるが、本発明の自動工具交換部を有する自動交換式クーラント装置は以上の説明の内容に限定するものではなく、同一技術的範疇のものが適用されることは勿論である。
【産業上の利用可能性】
【００２３】
本発明の自動工具交換部を有する自動交換式クーラント装置はワークの加工を必要とするすべての機械に適用可能であり、特に、自動交換装置を有するマシニングセンタ等においては極めて有効で便利なものであり、その利用範囲は広い。
【符号の説明】
【００２４】
１…ベースブロック
２…ガイドブロック
３…クーラントノズル
４…クーラント導入路
４ａ…クーラント導入路
５…クーラント通路
６…ガイド穴
７…ロック手段
８…挿入ロッド
９…ブロック体
１０…パイプ体
１１…把持部
１２…貫通孔
１３…クーラント路
１４…ノズル
１５…工具
１６…主軸
１７…工具の把持部
１８…本体
１９…アーム部
２０…第１の係着部
２１…第２の係着部
１００…自動工具交換部を有する自動交換式クーラント装置
２００…クーラント供給部
３００…自動交換部
【図１】
2011148059.tif 000003
【図２】
2011148059.tif 000004
【図３】
2011148059.tif 000005
【図４】
2011148059.tif 000006